(57)【要約】【課題】  収納装置を設置予定の場所に設置可能か否かを判定することができ、設置可能な場合に収納装置を発注することが可能な収納装置発注システム及び発注方法を提供することを目的とする。【解決手段】  収納装置の設置場所となる背景を撮影する撮影部を有する携帯端末と、収納装置のサイズ情報及び画像を格納しているサーバとが、通信網を介して接続されて構成する収納装置発注システムであって、前記携帯端末は、前記撮影部によって撮影した背景画像に、前記サーバから取得した前記収納装置の画像を重畳させて表示する表示手段と、収納装置の画像を前記設置場所に重畳させて重畳画像を前記表示部に出力する重畳画像出力手段と、該重畳画像出力手段により前記収納装置が設置場所に設置可能な場合に、前記収納装置の発注を行う発注手段と、を有することを特徴とする。【選択図】図１
2019207498.tif 000002
【特許請求の範囲】
【請求項１】
収納装置の設置場所となる背景を撮影する撮影手段を有する携帯端末と、収納装置のサイズ情報及び画像を格納しているサーバとが、通信網を介して接続されて構成する収納装置発注システムであって、
前記携帯端末は、前記撮影手段によって撮影した背景画像に、前記サーバから取得した前記収納装置の画像を重畳させて表示する表示手段と、
該表示手段によって表示される前記収納装置の画像を操作する操作手段と、
該操作手段の操作によって、前記収納装置の画像を前記設置場所に重畳させて重畳画像を前記表示部に出力する重畳画像出力手段と、
該重畳画像出力手段により前記収納装置が設置場所に設置可能な場合に、前記収納装置の発注を行う発注手段と、を有することを特徴とする収納装置発注システム。
【請求項２】
前記携帯端末が備える撮影手段は、撮影した背景の壁面までの距離を測定する測定手段を有し、前記収納装置の設置場所までの距離及び設置場所の逆方向の壁面までの距離を測定することを特徴とする請求項１記載の収納装置発注システム。
【請求項３】
前記操作手段は、前記表示手段によって表示される前記収納装置の画像を移動または回転操作、前記収納装置が備える扉の開閉操作を行うことができることを特徴とする請求項１記載の収納装置発注システム。
【請求項４】
収納装置の設置場所となる背景を撮影する撮影手段を有する携帯端末と、収納装置のサイズ情報及び画像を格納しているサーバとが、通信網を介して接続されて構成し、収納装置を発注するための収納装置発注方法であって、
前記携帯端末は、前記撮影部によって撮影した背景画像に、前記サーバから取得した前記収納装置の画像を重畳させて表示する表示し、
前記携帯端末が備える操作手段によって操作することで、前記収納装置の画像を前記設置場所に重畳させて重畳画像を前記表示部に重畳画像を出力し、
該重畳画像出力手段により前記収納装置が設置場所に設置可能な場合に、前記収納装置の発注することを特徴とする収納装置発注方法。
【請求項５】
前記携帯端末が備える撮影部は、撮影した背景の壁面までの距離を測定する測定手段を有し、前記収納装置の設置場所までの距離及び設置場所の逆方向の壁面までの距離を測定することを特徴とする請求項４記載の収納装置発注方法。
【請求項６】
前記操作手段は、前記表示手段によって表示される前記収納装置の画像を移動または回転操作、前記収納装置が備える扉の開閉操作を行うことができることを特徴とする請求項４記載の収納装置発注方法。
【発明の詳細な説明】
【技術分野】
【０００１】
本発明は、収納装置発注システム及び発注方法に関し、特に、収納装置の設置イメージを容易に得ることが可能な収納装置発注システム及び発注方法に関する。
【背景技術】
【０００２】
近年、マンション等の集合住宅の共用部等には、いわゆる宅配ロッカーと称される宅配物の収納装置が設置されることが多くなってきている。
この宅配物の収納装置は、居住者が共用で使用可能な収納ボックスを複数備え、共用の収納ボックスにおいて、宅配便等により集合住宅の居住者宛に配送された配送物を、一時的に預かり、施錠可能に収納することで、居住者は自身が不在の場合であっても、再配達を依頼することなく、スムーズに配送物を受け取ることができるというものである。
【０００３】
また、近年の新築マンションには、共用部に宅配物の収納装置の導入が当然となっているものの、収納装置が設置されていない既存の集合住宅や分譲住宅でも不在時に宅配物の受け取りを希望する入居者が増えているおり、これから収納装置の導入を検討しているケースが多くある。
【０００４】
さらに、インターネットを利用した通信販売の拡大により宅配物の取扱個数が増加している一方で、宅配物の再配達も増加しており、宅配業者の負担が現在問題になっている。このようなことから自宅以外でも宅配物を受け取ることができるようにと、駅や商業施設等に設置された収納装置で宅配物を受け取るといったサービスが促進されており、様々な公共施設などで収納装置の設置の検討がなされている。
【０００５】
通常、収納装置の導入を検討するにあたっては、まず、収納装置を設置する場所を測定し、測定結果に基づいたサイズの収納装置をカタログなど見て選択し導入することが一般的であるが、実際に収納装置を導入してみると、当初想定していた設置イメージと異なったり、収納ボックスの扉が設置場所の構造から完全に開くことができなかったりといった問題も多くある。
【０００６】
そこで、家具や家電の配置をシミュレーションすることができる方法についてのものであり、特許文献１に記載されるような物品の配置シミュレーション方法が提案されている。この特許文献１は、携帯端末は撮像部を備え、撮像部から出力された画像を用いて、部屋などの背景画像と、部屋に配置する物が画像である物体画像を生成し、生成した背景画像と物体画像を合成し、シミュレーション画像を表示するとともに、ユーザが設定した範囲に物品を配置することが可能であるか否かの判定結果を通知するものである。
【０００７】
上記した発明を利用すれば、設置したい場所に収納装置を設置することができるか否かのシミュレーションをすることが可能となる。
【先行技術文献】
【特許文献】
【０００８】
【特許文献１】特開２００６−２４４３２９号公報
【発明の概要】
【発明が解決しようとする課題】
【０００９】
しかしながら、収納装置は、上記したように集合住宅の共用部に設置することが大半であり、また、共用部に設置する場合には、通路幅の確保の必要性、非常扉や排煙口、スプリンクラーなどの防火設備等付近に設置することができないなどの消防法等による規制があるため、これらを考慮して収納装置を設置しなければならず、特許文献１にはこのようなことを考慮する記載がなく、実際に現場に赴かずに収納装置の設置シミュレーションを行うことは困難である。
【００１０】
本発明は、係る問題に鑑みてなされたものであり、収納装置を設置予定の場所に設置可能か否かを判定することができ、設置可能な場合に収納装置を発注することが可能な収納装置発注システム及び発注方法を提供することを目的とする。
【課題を解決するための手段】
【００１１】
上記目的を達成するために、本発明の収納装置発注システムは、収納装置の設置場所となる背景を撮影する撮影手段を有する携帯端末と、収納装置のサイズ情報及び画像を格納しているサーバとが、通信網を介して接続されて構成する収納装置発注システムであって、前記携帯端末は、前記撮影手段によって撮影した背景画像に、前記サーバから取得した前記収納装置の画像を重畳させて表示する表示手段と、該表示手段によって表示される前記収納装置の画像を操作する操作手段と、該操作手段の操作によって、前記収納装置の画像を前記設置場所に重畳させて重畳画像を前記表示部に出力する重畳画像出力手段と、該重畳画像出力手段により前記収納装置が設置場所に設置可能な場合に、前記収納装置の発注を行う発注手段と、を有することを特徴とする。
【００１２】
また、前記携帯端末が備える撮影手段は、撮影した背景の壁面までの距離を測定する測定手段を有し、前記収納装置の設置場所までの距離及び設置場所の逆方向の壁面までの距離を測定することを特徴とする。
【００１３】
また、前記操作手段は、前記表示手段によって表示される前記収納装置の画像を移動または回転操作、前記収納装置が備える扉の開閉操作を行うことができることを特徴とする。
【００１４】
また、本発明の収納装置発注方法は、収納装置の設置場所となる背景を撮影する撮影手段を有する携帯端末と、収納装置のサイズ情報及び画像を格納しているサーバとが、通信網を介して接続されて構成し、収納装置を発注するための収納装置発注方法であって、前記携帯端末は、前記撮影部によって撮影した背景画像に、前記サーバから取得した前記収納装置の画像を重畳させて表示する表示し、前記携帯端末が備える操作手段によって操作することで、前記収納装置の画像を前記設置場所に重畳させて重畳画像を前記表示部に重畳画像を出力し、該重畳画像出力手段により前記収納装置が設置場所に設置可能な場合に、前記収納装置の発注することを特徴とする。
【００１５】
また、前記携帯端末が備える撮影部は、撮影した背景の壁面までの距離を測定する測定手段を有し、前記収納装置の設置場所までの距離及び設置場所の逆方向の壁面までの距離を測定することを特徴とする。
【００１６】
また、前記操作手段は、前記表示手段によって表示される前記収納装置の画像を移動または回転操作、前記収納装置が備える扉の開閉操作を行うことができることを特徴とする。
【発明の効果】
【００１７】
本発明によれば、収納装置の設置を検討するにあたって、撮影した設置場所の背景に収納装置の画像を重畳させることで設置可能か否かの判定を容易にすることが可能となる。
また、設置場所と逆方向の壁面までの距離を測定することにより、収納装置を設置した場合における通路幅の確保ができているか、防火設備の障害になっていないかなどの確認も容易に行うことができ、これらをふまえた上で収納装置の発注をその場で行うことが可能である。
【図面の簡単な説明】
【００１８】
【図１】収納装置の発注システムの構成を示した図である。
【図２】携帯端末の構成を示した図である。
【図３】管理サーバの構成を示した図である。
【図４】管理サーバに登録したユーザ情報を示した表である。
【図５】収納装置のサイズ情報及び画像情報を示した表である。
【図６】発注情報を示した表である。
【図７】ユーザ情報の登録を示したフローチャートである。
【図８】収納装置の発注方法の流れを示したフローチャートであり、
【図９】携帯端末による収納装置の設置予定場所を撮影した図であり、
【図１０】携帯端末による設置予定場所と対向する位置を撮影した図であり、
【図１１】携帯端末の表示部に表示される収納装置の３Ｄ画像一覧を示した図であり、
【図１２】収納装置の３Ｄ画像を移動または回転させたりする状態を示した図であり、
【図１３】収納装置の３Ｄ画像を設置予定場所に設置した状態を示した図であり、
【図１４】発注情報を入力するための画像を示した図である。
【発明を実施するための形態】
【００１９】
次に、図面を参照して、本実施形態に係る収納装置の発注システム及び発注方法について説明する。
図１は、収納装置の発注システムの構成を示した図であり、図２は、携帯端末の構成を示した図であり、図３は、管理サーバの構成を示した図であり、図４は、管理サーバに登録したユーザ情報を示した表であり、図５は、収納装置のサイズ情報及び画像情報を示した表であり、図６は、発注情報を示した表である。
【００２０】
図１に示すように、収納装置の発注システムは複数の携帯端末１０と、管理サーバ２０とがインターネット１を介して接続されている。携帯端末１０は、携帯電話機やスマートフォン、ＰＨＳ、ＰＤＡ、タブレット型ＰＣ、ノート型ＰＣ等の移動可能な通信端末である。図２に示すように、携帯端末１０は、操作部１１と、表示部１２と、記憶部１３と、撮影部１４と、制御部１５と、通信部１６とから構成されている。
【００２１】
操作部１１は、キー操作部やタッチパネルで構成される入力装置であり、ユーザは、この操作部１１を操作して指示やデータ等の入力を行う。表示部１２は、画像や文字を出力する液晶ディスプレイ等で構成されており、操作部１１と一体した構成でもよい。記憶部１３は、各種情報を格納する装置でありメモリやハードディスク等で構成されている。
【００２２】
撮影部１４は、例えばカメラなどで構成されており、撮像した画像を表示部１２に出力する装置である。制御部１５は、ＣＰＵなどの処理装置で構成され、操作部１１からの入力や記憶部１３に格納されているプログラムに応じて携帯端末１０全体を制御する。また、制御部１５は、距離測定部１５ａを有している。
【００２３】
距離測定部１５ａは、オートフォーカスセンサーを用いて、撮影位置から撮影部１４により撮影する被写体までの距離を測定するものである。なお、距離の取得方法について、例えば、撮影部１４に２つのカメラを備えることによって、あるいは撮影位置の異なる複数の画像を取得することにより、三角測量の原理を利用して距離を測定するようにしてもよく、また、超音波センサや赤外線センサを利用して距離を測定するようにしてもよい。
【００２４】
また、距離測定部１５ａは、上記した技術を利用することにより、撮影部１４によって撮影された背景画像の任意の箇所のサイズ（幅・奥行・高さ）を測定することも可能である。例えば、収納装置の配置を意図した床及び壁の幅や奥行、高さを測定することで所望する収納装置を配置することができるか否かの判断を行うことが可能となる。通信部１６は、管理サーバ２０と情報の送受信を行う。
【００２５】
管理サーバ２０は、図３に示すように、制御部２１と、通信部２２と、情報処理部２３と、記憶部２４とから構成されている。制御部２１は、ＣＰＵなどで管理サーバ２０全体を制御するものであり、通信部２２は、ネットワーク１を介して携帯端末１０と情報の送受信を行うものである。情報処理部２３は、携帯端末から受信した情報を記憶部２４に格納したり、携帯端末１０から要求された情報を携帯端末１０に送信したりする。
【００２６】
記憶部２４は、ユーザ情報を格納するためのユーザ情報データベース２４ａと、収納装置のサイズ情報や画像情報を格納するための収納装置データベース２４ｂと、収納装置の発注情報を格納するための発注情報データベース２４ｃと、アプリケーションデータベース２４ｄといった各情報を格納するための複数のデータベースを有している。
【００２７】
ユーザ情報データベース２４ａは、ユーザの氏名や住所などといったユーザ情報を格納しており、このユーザ情報は、図４に示すように、ユーザごとのユーザＩＤ、氏名、住所、電話番号といった情報から構成されている。このユーザ情報は、予め管理サーバ２０から携帯端末１０へ送信される登録フォーム（図示せず）にユーザが携帯端末１０を操作して必要事項を入力し、管理サーバ２０へ送信することでユーザ情報がこのデータベース２４ａに格納される。
【００２８】
収納装置データベース２４ｂは、複数の収納装置のサイズ情報及び画像情報が格納されている。図５に示すように、収納装置ごとの３Ｄ画像、タイプ名、ボックス構成、サイズの情報が格納されている。
【００２９】
この収納装置は、例えば、居住者宛ての配送物を収納し、施錠可能に構成されるものであり、配送物を配送宛に届けるまで一時預け入れる宅配用の収納装置として機能するものである。本実施形態では、収納装置は、一例として集合住宅の共用部に設置されるものであるが、マンション等の集合住宅の他、オフィス、コンビニエンスストアやスーパーマーケット等の店舗や商業施設、又は駅や病院等の公共施設・期間等に設置されてもよく、設置場所はこれらに限定されるものではない。
【００３０】
発注情報データベース２４ｃは、顧客からの発注情報を格納しており、図６に示すように、発注情報は、発注者のユーザＩＤ、氏名、ロッカーの設置場所、選択したロッカー、扉の開く方向、設置予定日等から構成されている。
【００３１】
アプリケーションデータベース２４ｄは、携帯端末１０からの要求に応じて提供するアプリケーションを格納している。このアプリケーションは、携帯端末１０で撮影した背景画像に上記した収納装置の３Ｄ画像を重畳させる機能を有している。
【００３２】
次に、収納装置の発注システム及び発注方法の動作について説明する。
＜ユーザ情報の登録及びアプリケーションの取得＞
図７は、ユーザ情報の登録を示したフローチャートである。
ユーザは、収納装置を発注する前に管理サーバ２０にユーザ情報を登録する必要がある。そこで、ユーザは携帯端末１０を操作して管理サーバ２０にユーザ情報が登録されているかを確認する（ステップＳ１）。登録されている場合には（ステップＳ１／ＹＥＳ）、次に、管理サーバ２０からアプリケーションを取得する（ステップＳ３）。
【００３３】
また、管理サーバ２０にユーザ情報を登録していない場合（ステップＳ１／ＮＯ）、ユーザは、携帯端末１０を操作して管理サーバ２０に登録フォーム（図示せず）を要求し、携帯端末１０を操作して登録フォームに必要事項を入力し、管理サーバ２０へ送信することでユーザ情報を管理サーバ２０に登録することができる（ステップＳ２）。そして、上記と同様に、管理サーバ２０からアプリケーションを取得する（ステップＳ３）。
【００３４】
＜発注方法について＞
次に、収納装置の発注方法について説明する。
図８は、収納装置の発注方法の流れを示したフローチャートであり、図９は、携帯端末による収納装置の設置予定場所を撮影した図であり、図１０は、携帯端末による設置予定場所と対向する位置を撮影した図であり、図１１は、携帯端末の表示部に表示される収納装置の３Ｄ画像一覧を示した図であり、図１２は、収納装置の３Ｄ画像を移動または回転させたりする状態を示した図であり、図１３は、収納装置の３Ｄ画像を設置予定場所に設置した状態を示した図であり、図１４は、発注情報を入力するための画像を示した図である。
【００３５】
図８に示すように、まず、ユーザは、携帯端末１０を操作して管理サーバ２０から取得した制御部１０によって記憶部１３に格納されているアプリケーションを呼び出して起動させる（ステップＳ１０）。アプリケーションが起動すると、次に、制御部によって撮影部１４が起動する（ステップＳ１１）。そして、図９に示すように、ユーザは、撮影部１４が起動した状態の携帯端末１０を収納装置１００の設置予定場所の方向に向けて撮影する（ステップＳ１２）。
【００３６】
設置予定場所を撮影する場合に、例えば、ユーザは設置予定場所の壁面から２〜３ｍ離れて設置予定場所の床面と天井が同時に撮影できる位置に立つ必要がある。
なお、建築基準法によると、収納装置を集合住宅の共用部や廊下、商業施設などの通路に設置する場合に、通路幅を１．２ｍ以上確保する必要があるほか、さらに、消防法においては、排煙口を塞ぐ位置やスプリンクラーの下部に設置することは禁止されている。
【００３７】
従って、設置予定場所がこのような条件を満たす位置にあるかどうかの確認をする必要がある。
そこで、ユーザは、まず、上記したように、設置予定場所の床面及び天井が撮影できる位置（例えば、２〜３ｍ）まで壁面から離れて立ち、撮影を行う。このとき、携帯端末１０が備える距離測定部１５ａによって壁面からユーザの立ち位置までの距離を測定することで撮影位置を決めてもよい。
【００３８】
次に、ユーザは、撮影位置から反転し、反転した方向の壁面または設置物等までの距離を測定する（ステップＳ１３）。測定する方法としては、携帯端末１０の表示部１２に表示された「距離を測定」ボタン１２ｂを押下（タップ又はクリック）することで、携帯端末１０が備える距離測定部１５ａによってユーザの立ち位置から壁面または設置物等までの距離を測定するとともに、表示部１２に壁面または設置物までの距離を表示する（図１０）。
【００３９】
このようにして、収納装置１００の設置予定場所が上記の条件を満たす位置にあるか否かを確認することが可能となる。
【００４０】
そして、携帯端末１０の表示部１２には、撮影部１４によって撮影された設置予定場所の背景が表示されるとともに、表示部１２の右上には「画像を表示」のボタンが表示される。
ユーザは、この「画像を表示」のボタン１２ａを押下（タップ又はクリック）すると、表示部１２に表示される画面が収納装置１００の３Ｄ画像一覧の画面に遷移する。
【００４１】
表示部１２には、収納装置１００の３Ｄ画像一覧（Ａタイプ〜Ｄタイプ）が表示される（図１１）。ユーザは、この中から所望の収納装置１００の３Ｄ画像を選択することができる。また、例えば、３Ｄ画像を押下するなどして収納装置１００の規格（サイズなど）を見ることも可能である。
【００４２】
そして、ユーザは、表示部１２に表示された収納装置１００の３Ｄ画像一覧（Ａタイプ〜Ｄタイプ）から所望の３Ｄ画像を選択する（ステップＳ１４）。図示するように、ユーザによってＡタイプの収納装置が選択されると、再び、表示部１２には撮影部１４によって撮影される背景の表示に切り替わるとともに、ユーザによって選択された収納装置１００（Ａタイプ）の３Ｄ画像が重畳して表示される。
【００４３】
ユーザは、図１２に示すように、収納装置１００の３Ｄ画像を表示部１２内で移動させることができ、設置予定場所まで３Ｄ画像を移動させる（ステップＳ１５）。この３Ｄ画像は移動させることができるほか、回転させたり、収納装置１００の扉を開閉させたりすることが可能である。このため、ユーザは、３Ｄ画像を設置予定場所まで移動させ、回転させたり扉を開閉させたりすることで設置イメージをつかむことが容易となる。また、例えば、設置予定場所の壁面の色に合わせて収納装置１００の色を変更できるようにしてもよい。
【００４４】
次に、収納装置１００の設置場所及び収納装置１００を設置する向きが決定したら、ユーザは操作部１１を操作して背景画像と収納装置１００の３Ｄ画像が重畳した重畳画像を撮影する（ステップＳ１６）。
【００４５】
重畳画像を撮影すると、次に、収納装置１００の発注処理を行う。
発注処理では、図１４に示すように表示部１２に発注情報を入力する。
発注情報としては、収納装置１００を設置する物件名、物件の郵便番号及び住所、選択した収納装置のタイプ、収納装置の扉の開閉方向、収納装置の価格、発注者名、収納装置１００の設置予定日、設置画像である。
【００４６】
ユーザは、それぞれの項目を入力する（ステップＳ１７）。入力する際に、携帯端末１０が有する位置情報取得手段（図示せず）による位置情報から郵便場号や住所を自動的に入力するようにしてもよい。
【００４７】
また、設置画像については、上記の撮影した重畳画像がこの欄に自動的に反映され表示される。
【００４８】
発注情報を全て入力した後、ユーザは、携帯端末１０を操作して発注情報を管理サーバ２０へ送信する（ステップＳ１８）。管理サーバ２０は、受信した発注情報を情報処理部２３によって発注情報データベース２４ｃに格納する。そして、発注情報に基づき納品処理を行う。
【００４９】
以上のことから、本実施形態における収納装置の発注システム及び発注方法では、収納装置の設置予定場所の背景を撮影し、撮影した背景画像に収納装置の３Ｄ画像を重畳させることで、設置予定場所に収納装置を設置することが可能か否かを判定することが容易にできる。また、収納装置を設置する際に、通路幅の確保することや防火設備の障害にならないかを確認することが可能である。
そして、設置予定場所に収納装置を設置することが決定した場合に、その場で収納装置の発注を行うことができる。
【００５０】
これにより、従来行っていた設置場所をメジャーなどで設置範囲を測定して、設置できる収納装置を決定する行為と比べて、容易にかつ正確に収納装置の設置を決定することができる。また、例えば、収納装置の販売業者は、マンションのオーナーなどへ理解しやすいプレゼンテーションを行うことができるほか、迅速な営業活動を行うことも可能となる。  
【符号の説明】
【００５１】
１    ネットワーク
１０    携帯端末
１１    操作部
１２    表示部
１３、２４    記憶部
１４    撮影部
１５、２１    制御部
１５ａ    距離測定部
１６、２２    通信部
２０    管理サーバ
２３    情報処理部
２４ａ    ユーザ情報データベース
２４ｂ    収納装置データベース
２４ｃ    発注情報データベース
２４ｄ    アプリケーションデータベース
【図１】
2019207498.tif 000003
【図２】
2019207498.tif 000004
【図３】
2019207498.tif 000005
【図４】
2019207498.tif 000006
【図５】
2019207498.tif 000007
【図６】
2019207498.tif 000008
【図７】
2019207498.tif 000009
【図８】
2019207498.tif 000010
【図９】
2019207498.tif 000011
【図１０】
2019207498.tif 000012
【図１１】
2019207498.tif 000013
【図１２】
2019207498.tif 000014
【図１３】
2019207498.tif 000015
【図１４】
2019207498.tif 000016